(57)【特許請求の範囲】
【請求項１】
Ｃ：０．０３〜０．１０質量％、Ｃｒ：８．０〜３０．０質量％を含むＦｅ−Ｃｒ合金板を水素雰囲気中又は水素−窒素雰囲気中で脱炭焼鈍する際、熱処理温度Ｔ（℃）を７００〜１２００℃の範囲に保ち、雰囲気の露点ＤＰ（℃）及び熱処理温度Ｔの間に（１）式の関係を成立させるとともに、さらに板厚ｔ（ｍｍ）及び熱処理保持時間Ｈ（時）が（２）式もしくは（２）´および（３）を満足する条件下でＣ量を０．００３質量％以下に低減することを特徴とする高純度Ｆｅ−Ｃｒ合金の製造方法。
０．０６２５Ｔ−８６．９＞ＤＰ＞−０．０４Ｔ−４６    （１）
９６≧Ｈ≧ａ・ｔ＋ｂ  （９≧ｔ≧１．５５・ｌｎＴ−９．７９のとき）    （２）
９６≧Ｈ≧ａ・（１．５５・ｌｎＴ−９．７９）＋ｂ  （ｔ＜１．５５・ｌｎＴ−９．７９のとき）    （２）′
ａ＝８２．９２−１０．９・ｌｎＴ，ｂ＝１５７．４１−２３．１・ｌｎＴ    （３）
【発明の詳細な説明】
【０００１】
【産業上の利用分野】
本発明は、脱炭焼鈍によりＣ含有量を０．００３質量％まで低減した高純度Ｆｅ−Ｃｒ合金の製造方法に関する。
【０００２】
【従来の技術】
高純度Ｆｅ−Ｃｒ合金、特に極低炭素高純度Ｆｅ−Ｃｒ合金は、耐食性，機械的特性，磁気特性に優れた材料である。高純度Ｆｅ−Ｃｒ合金は、一般的には精錬プロセス、具体的には転炉で粗脱炭した後，真空脱ガスで目標炭素濃度まで脱炭する転炉−真空脱ガスプロセスで製造されている。
精錬プロセス以外にも、Ｆｅ−Ｃｒ合金を水素雰囲気下で８５０〜１２００℃の温度に５分〜２０時間保持することによりＣ量を０．０１５質量％以下に下げる方法（特開昭４９−６３６１８号公報），Ｆｅ−Ｃｒ合金を水素雰囲気下で８５０〜１２００℃の温度に５分〜２０時間保持することによりＣ量及びＮ量を０．０１質量％以下に下げる方法（特開昭５０−７９４１９号公報）等の雰囲気熱処理プロセスを利用した方法も知られている。
【０００３】
【発明が解決しようとする課題】
転炉−真空脱ガスプロセスでは、目標炭素濃度まで脱炭するために真空脱ガス時に長時間の脱炭処理が必要とされ、著しい作業効率の低下及び製造コストの増加を招く。
他方、従来の雰囲気熱処理プロセスではＣ量の低減に限度があり、特開昭４９−６３６１８号公報の方法では最低０．００５質量％，特開昭５０−７９４１９号公報の方法では最低０．００４質量％に低減されているに過ぎない。ところが、耐食性，機械的特性，磁気特性等の向上には、Ｃ量を少なくとも０．００３質量％以下に低減する必要がある。たとえば、磁束密度Ｂ1は、Ｃ量の減少に伴って増加する傾向が示し、Ｃ量０．００３質量％以下で急激に増加する（図１）。Ｃ量と磁束密度Ｂ1との関係からみると、従来の雰囲気熱処理プロセスでは十分に高純度化できないことが判る。
【０００４】
【課題を解決するための手段】
本発明は、このような問題を解消すべく案出されたものであり、熱処理雰囲気の酸素ポテンシャルをＦｅ−Ｃｒ合金表面に脱炭反応を阻害する酸化皮膜が生成しないレベルに維持することにより、Ｃ含有量を０．００３質量％以下に低減し、耐食性，機械的特性及び磁気特性に優れた高純度Ｆｅ−Ｃｒ合金を得ることを目的とする。
【０００５】
本発明の製造方法は、その目的を達成するため、０．０３質量％以上のＣを含むＦｅ−Ｃｒ合金板を水素雰囲気中又は水素−窒素雰囲気中で脱炭焼鈍する際、熱処理温度Ｔ(℃)を７００〜１２００℃の範囲に保ち、雰囲気の露点ＤP(℃）及び熱処理温度Ｔの間に次式の関係を成立させ、Ｃ量を０．００３質量％以下に低減することを特徴とする。
0.0625T−86.9＞DP＞−0.04T−46
【０００６】
また、次式の関係を満足するようにＦｅ−Ｃｒ合金板の板厚ｔ（ｍｍ）及び熱処理保持時間Ｈ（時）を設定することが好ましい。
96≧H≧a・t+b              （9≧t≧1.55・lnT-9.79のとき）
96≧H≧a・(1.55・lnT-9.79)+b    （t＜1.55・lnT-9.79のとき）
a＝82.92−10.9・lnT,      b＝157.41−23.1・lnT
【０００７】
【作用】
水素雰囲気又は水素−窒素雰囲気中での脱炭は、鋼中Ｃと雰囲気の酸素又は水蒸気との固相／気相反応により進行することから、雰囲気の露点が高いほど促進される。したがって、脱炭高純度化のためには雰囲気の露点を制御することが重要である。
本発明者等は、この雰囲気の露点及び熱処理温度が脱炭反応に及ぼす影響を調査・研究した結果、露点ＤP（℃）及び熱処理温度Ｔ（℃）との間にＤP＞−０．０４×Ｔ−４６の関係が成立しているとき、図２に示すように鋼中のＣが酸化領域となり脱炭反応が進行することを見出した。ところが、Ｃｒの酸化物が生成される領域では、生成したクロム酸化物により脱炭反応が妨げられる。Ｃｒの還元領域は、露点ＤP及び熱処理温度ＴがＤP＜０．０６２５Ｔ−８６．９を満足する領域である。
【０００８】
したがって、Ｆｅ−Ｃｒ合金を効率よく脱炭するため、露点ＤPと熱処理温度Ｔとの間にＤP＞−０．０４Ｔ−４６及びＤP＜０．０６２５Ｔ−８６．９を満足させる。脱炭反応は熱処理温度Ｔによる影響も受け、７００℃未満の熱処理温度Ｔでは拡散反応が遅く脱炭反応が起こりにくくなる。逆に１２００℃を超える熱処理温度Ｔでは、高温に耐えうる熱処理炉の構築が困難になる。
【０００９】
Ｆｅ−Ｃｒ合金の脱炭反応は，鋼中Ｃの拡散によっても影響を受ける。鋼中Ｃの拡散は，熱処理温度Ｔが高く板厚ｔ（ｍｍ）が薄いほど促進される。初期Ｃ含有量が０．０３０質量％のＦｅ−１３％Ｃｒ合金を水素雰囲気中で熱処理した後にＣ含有量が０．００３質量％以下になる板厚ｔ及び熱処理保持時間Ｈ（時間）の範囲を調査した。その結果、図３に見られるように熱処理温度Ｔが高いほど、Ｃ含有量が０．００３質量％以下になる板厚ｔ及び熱処理保持時間Ｈの範囲が広がっていた。薄い板厚ｔほどＣ含有量の低減に有利に働くが、板厚ｔがある値を下回るとＣ含有量が０．００３質量％を下回る熱処理温度Ｔはほとんど変化しなくなるので、この部分については直線で近似した。
【００１０】
図３の関係は、回帰計算によって図４に示すように一般化される。熱処理保持時間Ｈは、長時間になると生産性，経済性を低下させることから上限を９６時間に設定した。板厚ｔは、Ｆｅ−Ｃｒ合金の巻出し及び脱炭された高純度Ｆｅ−Ｃｒ合金の巻取りを考慮し、上限を９ｍｍに設定した。この条件下でＣ含有量：０．００３質量％以下を満足する熱処理保持時間Ｈは、図４の斜線領域、すなわち
96≧H≧a・t+b              (9≧t≧1.55・lnT-9.79のとき)
96≧H≧a・(1.55・lnT-9.79)+b    (t<1.55・lnT-9.79のとき)
a＝82.92−10.9・lnT,      b＝157.41−23.1・lnT
【００１１】
本発明に従って脱炭焼鈍されるＦｅ−Ｃｒ合金は、Ｃｒ：８．０〜３０．０質量％及びＣ：０．１０質量％以下を含むＦｅ−Ｃｒ合金である。８．０質量％以下のＣｒ含有量では必要とする耐食性が得られず、逆に３０．０質量％を超えるＣｒ含有量では靭性及び製造性が低下する。また、Ｃ含有量が０．１０質量％を超えると、Ｃを０．００３質量％以下に低減するための熱処理時間が長くなり、生産性が低下する。
【００１２】
【実施例】
Ｃｒ：１３．１２質量％，Ｃ：０．０３０質量％，Ｓｉ：０．３８質量％，Ｍｎ：０．３８質量％，Ｐ：０．０２８質量％，Ｓ：０．０１質量％を含むＦｅ−Ｃｒ合金３０ｋｇを真空溶解し、鍛造，熱延，熱延板焼鈍，表面研削，冷延，仕上げ焼鈍，酸洗の工程を経て各種板厚のＦｅ−Ｃｒ合金板を製造した。
【００１３】
得られた各Ｆｅ−Ｃｒ合金板を水素雰囲気中で熱処理し、熱処理されたＦｅ−Ｃｒ合金板のＣ含有量を分析した。熱処理雰囲気とＣ含有量との関係を示す表１にみられるように、本発明で規定する条件を満足する雰囲気熱処理が施された試験番号１〜１６は、何れもＣ量が０．００３質量％以下に低減されていた。これに対し、熱処理温度Ｔ及び露点ＤPが本発明で規定した範囲を外れる試験番号１７〜２０では、Ｃ含有量が全く低減しなかった。板厚ｔに対して熱処理保持時間Ｈが短すぎる試験番号２１〜２５では、脱炭後のＣ含有量が０．００３質量％を上回っていた。また、熱処理温度Ｔが低すぎる試験番号２６や露点ＤPが低すぎる試験番号２７では、Ｃ含有量がほとんど低減していなかった。
【００１４】
0004646086.tif 000002
【００１５】
【発明の効果】
以上に説明したように、本発明においては、Ｆｅ−Ｃｒ合金を雰囲気熱処理で脱炭するとき、雰囲気の熱処理温度及び露点を管理することにより、０．００３質量％以下の極低炭素レベルまでの脱炭を可能にしている。このようにして得られる高純度Ｆｅ−Ｃｒ合金は、優れた耐食性，機械的特性及び磁気特性を活用し、建築用，自動車用，高耐食用，高加工用，高磁気特性用，電磁用等、種々の分野で使用される。また、精錬プロセスのように長時間の処理を必要としないため、生産性にも優れている。
【図面の簡単な説明】
【図１】  Ｆｅ−Ｃｒ合金の磁束密度Ｂ1に及ぼすＣ含有量の影響を表したグラフ
【図２】  Ｆｅ−Ｃｒ合金の脱炭焼鈍が可能な熱処理温度及び熱処理雰囲気の露点の範囲を示すグラフ
【図３】  種種の熱処理温度において焼鈍後にＦｅ−Ｃｒ合金のＣ含有量を０．００３質量％以下にすることが可能な板厚及び熱処理保持時間の範囲を示したグラフ
【図４】  Ｆｅ−Ｃｒ合金のＣ含有量を０．００３質量％以下にすることが可能な板厚及び熱処理保持時間の範囲を示したグラフ
【図１】
0004646086.tif 000003
【図２】
0004646086.tif 000004
【図３】
0004646086.tif 000005
【図４】
0004646086.tif 000006